(57)【要約】【課題】  文明社会において電気は必要不可欠で今後益々需要が伸びていくが、これまでの発電装置は資源をエネルギー転換する過程で環境破壊や温暖化等の原因となり、人類に大きな負荷を与え続けている。今後、クリーンで経済コストにかなった発電手法の開発が望まれている。【解決手段】    （発明の要約）  これまでの発電は多大なリスクが伴ううえ多大な経費が必要であったが、本発明はそのリスクが無く、経費等も安価でかつクリーンであり、環境にも優しく発電できる装置である。さらに、地球上で場所を問わずどこでも可能であるのみならず、人類全てに平等で無限、無代な重力を、シーソーの原理とフレームワーク内部のコマの回転・反復運動を利用応用して連続的に発電機を稼働させ続けることができるもので、今後の人類の発展に大きく寄与できる。【選択図】    図１
2006226278.tif 000002
【特許請求の範囲】
【請求項１】
本発明は、シーソー（Ｓｅｅｓａｗ）の昇降運動の原理を利用してフレームワーク（Ｆｒａｍｅｗｏｒｋ）の内部にコマ（ｋｏｍｏ）を組込み、シーソーが上下降することにより得られるコマの回転エネルギー（Ｅｎｅｒｇｉｅ）を発電に利用する装置に関するもので、すなわち、フレームの枠内をコマが重力（Ｇｒａｖｉｔｙ）によって落下することによる回転により発生するエネルギー利用してフレームワークの内枠をコマが推進し、フレームワークが上下降する反復運動をくり返すことにより半永久的にコマが回転し続け、そのエネルギーを利用して連続的に発電機を稼働させ続けることができるものである。
【請求項２】
シーソーの台座▲１▼にフレームワーク▲２▼を取付け内部にコマ▲３▼をセットしてコマの自重で移動して落下する回転をエネルギーに換えて発電する。  コマの軸▲４▼  シーソーの軸▲５▼コマの回転の様子を矢印で→図示▲６▼  コマの回転を常に安定させるための制御装置▲７▼  シーソーの上下移動の反復運動を利用して半永久的に稼働し続ける様子を破線で図示▲８▼▲９▼  コマの回転と移動の様子を破線で図示▲１０▼▲１１▼  コマによるシーソーの昇降運動をフレームワーク▲２▼を通して伝達するとともに、先端部を円弧にすることでコマ▲３▼の回転を上部への運動に変換し、上昇して頂点に達した時点で下部へ下降する反復運動により自力でエネルギーを生み出し、自身の回転エネルギーで発電させる方法である。
〔図２〕
【発明の詳細な説明】
【技術分野】
【０００１】  本発明は、シーソー（Ｓｅｅｓａｗ）の昇降運動の原理を利用してフレームワーク（Ｆｒａｍｅｗｏｒｋ）の内部にコマ（ｋｏｍｏ）を組込み、シーソーが上下降することにより得られるコマの回転エネルギー（Ｅｎｅｒｇｉｅ）を発電に利用する装置に関するもので、すなわち、フレームの枠内をコマが重力（Ｇｒａｖｉｔｙ）によつて落下することによる回転により発生するエネルギーを利用してフレームワークの内枠をコマが推進し、フレームワークが上下降する反復運動をくり返すことにより半永久的にコマが回転し続け、そのエネルギーを使用して連続的に発電機を稼働させ続けることができるものである。
【背景技術】
【０００２】    「火力発電の欠点」
化石燃料（石油、石炭等）は将来的には資源（原油等）の枯渇が懸念されており、未来永劫、その確保が保証されたものではない。現状では、産油国自身の都合による原油の生産調整に伴い、安定的に供給されていないことや、投機グループによるマネーゲームの影響で世界経済は不安定な状態で、国民の家庭生活をも脅かすような情勢になっている。最も大きな問題は、大量に排出される煤煙によるＣｏ２、硫黄酸化物等の汚染物出の排出による地球規模での環境汚染、温暖化の問題で、地球に対し多大な負荷をかけている。火力発電は今現代においては最大の発電能力があり世界的に普及しているが、グローバル（Ｇｌｏｂａｌ）的な見地でみれば地球に対して最大の環境汚染等の問題を拡大させており、大きなリスクを負った発電方法である。他に変わるシステムが開発されれば即刻止めるべき発電である。
「原子力発電の欠点」
最近の事故以来、原子炉施設の老朽化による冷却水用配管パイプの摩耗損傷等が原因の放射能汚染・爆発等の危険性が問題となり、何時どのような事故がどの規模でどの範囲で起きるのか、多くの国民にとって不安な状態が続いている。更に使用済核燃料の処理問題、核廃棄物処理場の埋立て場所や新規の発電所の場所の確保の困難性などの課題がある。また、一度大事故が起これば人類（生物）の存続自体に大きな影響を及ぼすことは明白で、その安全性については重大な課題があると言わざるを得ない。
「水力発電の欠点」
水源の確保のための新規大規模ダムの建設場所は事実上無いのが現状で、現況のダム施設を維持管理するのが手一杯で将来的な見通しはない。また、老朽ダムの更新には大変な費用がかかるし、グローバル的な視野で見ると乾燥地帯が多く日本的な水力発電可能な地域（国）は少なく海外ではさらに困難な発電方法である。
「ソーラーシステム発電の欠点」
大気圏内では太陽光線の強弱に左右される要因が多く、晴れ、曇り、雨、夜間、夏冬期、地域（国）、気候等の多くの影響が多大で、安定的（電力出力の安定）な供給ができないうえにソーラーパネルの設置場所による美観、景観等の問題もある。また、現状では大気圏外での太陽光発電はコストがかかりすぎて現実的ではない。
「風力発電の欠点」
風向きは、季節、天気、時間、地形等々の変化に左右されるなど、不安定な要素が多く安定的に電気の供給ができない。また、暴風（台風）や無風など風力の強弱による影響も無視できない。更に、近年は風車の羽の大型化が進み景観が損なわれて見苦しく、地域住民の新規建設の反対が有るなど建設場所の確保が難しく規模の拡大が望めない。
以上のような様々な発電装置システムがあるが、危険性、環境問題、供給の不安定さ、過大な経費、建設場所等の問題点が多々あり、今後も増え続ける電気需要に対し、こうした問題点への抜本的な解決策が無いのが現状である。現在主力の発電方法は、資源をエネルギー変換する方法であるが、この考え方を変えない限り、地球や人類に多大なる負荷をかけ続けることになる。
【発明の開示】
【０００３】  文明社会において電気は必要不可欠であり、様々な手段により発電されているが、それぞれの発電方法には、危険性、環境悪化、不安定供給等々の問題が数多くある上に、発電装置、発電機自体にも課題がある。しかし、最大の問題点は、発電方法が有限な資源を利用し、有害な物質を生成する過程で電力を得ている点で、この発想である以上、いかなる発電機ができようが地球や人類に多大なる負荷をかけざるを得ない。
本発明はクリーンで発電装置にかかる経費（燃料費等）が安価で、何処（Ｇｌｏｂａｉ）でも誰でも発電できる上に、安定的に供給が可能で、エネルギーを自力で生みだして発電するので、資源（石油、原子力）や不安定な外力（水、風、光等）に寄らず、重力（引力）と回転のエネルギーを組合わせ応用したものである。
【０００４】  電気需要は今後益々拡大して行くなかで、その利便性とは裏腹に、発電にかかる資源の消耗及び排出物の問題がグローバル的な規模で進展して行くことは明白である。原子力発電所の放射能漏れ事故の危惧や放射性物質処理問題の危険性、火力発電所のＣＯ２排出による地球温暖化やチッ素酸化物による環境悪化等の問題など地球規模的な危機に陥る可能性が今まさに増大しており、早急にクリーンで安価な発電が求められている。水力、風力、ソーラー発電はクリーンではあるが、基本的に地域、天候、気候等に左右され常に安定的な発電ができないリスクがある。
【課題を解決するための手段】
【０００５】  これまでの発電（火力、原子炉、ダム）および送電（電線、鉄塔）施設では多大なリスクが伴ううえ多大な経費が必要であったが、本発明はそのリスクが無く、経費等も安価でかつクリーンであり、環境にも優しく発電できる装置である。さらに、地球上で場所を問わずどこでも可能であるのみならず、人類全てに平等で無限、無代な重力を、シーソーの原理とコマの回転・反復運動を利用応用して発電できるものである。
【図面の簡単な説明】
【０００６】
【図１】  シーソーの台座▲１▼にフレームワーク▲２▼を取付け、内部にコマ▲３▼をセットしてコマの自重で移動して落下する回転をエネルギーに換えて発電する。  コマの軸▲４▼  シーソーの軸▲５▼  コマの回転を矢印（→）図示▲６▼  コマの回転を常に安定させるための制御装置▲７▼
【図２】  シーソーの上下移動の反復運動を利用して反永久的に稼働し続ける様子を破線で図示▲８▼▲９▼  コマの回転と移動の様子を破線で図示▲１０▼▲１１▼
【０００７】  コマによるシーソーの昇降運動をフレームワーク▲２▼を通して伝達するとともに、先端部を円弧にすることでコマ▲３▼の回転を上部への運動に変換し、上昇して頂点に達した時点で下部へ下降する反復運動により自力でエネルギーを生み出し、自身の回転エネルギーで発電させる方法である。【０００８】  本発明の着眼点、考案を明記したい。
（１）地上で重力を利用することに着眼した。
（２）重力に反発する力として、シーソーの昇降運動の原理に着目した。
（３）シーソーの原理をフレームワークに伝達することに着眼した。
（４）フレームワークの先端部を円弧にし、コマの回転を利用することで昇降運動と反復運動を繰り返すことにより、長時間（永久）にコマが回転し続けることに着眼した。
（５）コマをフレームワーク内に組込む発想と、コマの回転力を利用して発電することに着眼した。
【発明の効果】
（１）重力を利用した発電であるのでエネルギーは無限で無制限な利用が可能である。
（２）地球上のどこでも誰でも利用でき均一で平等の発電が可能である。
（３）発電に使用するエネルギーは重力を利用しているので無代であり、枯渇することはないうえ、万国平等であるのでエネルギー紛争の火種にならない。
（４）発電に際し環境汚染、地球温暖化等の負荷もなく常にクリーンである。
（５）不安定要因がなく一定の安定した電力の供給ができる。
（６）発電装置の規模の使い分けにより、超大型発電施設（都市の公共施設、鉄道等）大型施設（工場、ビル、大型船舶等）中型施設（デパート商店等）小型（家庭等）超小型（自動車、小型船舶等）等用途により使い分けが可能である。
（７）発電装置が（６）の様な使い分けすることにより施設ごとに発電が出来るので送電による、ロスや事故が防止でき、停電が無くなる。
（８）送電におけるメンテナンスが不要になり景観面でも優れている。
【図１】
2006226278.tif 000003
【図２】
2006226278.tif 000004
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
本発明は、シーソー（Ｓｅｅｓａｗ）の上下運動の原理を利用してシーソーの台座部分をフレームワーク（Ｆｒａｍｅｗｏｒｋ）に置き換え、その内部にコマを組込み、コマが自重により回転して移動するときにシーソー（フレーム）が上下降し、そのとき内部のコマが回転して移動するときに発生するエネルギー（Ｅｎｅｒｇｉｅ）を、コマの軸から外部に設置した発電機に伝動させて発電する、若しくはフレーム本体とコマ自体を発電機にして発電させる装置に関するものある。
すなわち、フレームの枠内をコマ自体が自重による重力（Ｇｒａｖｉｔｙ）によって下降しフレームの円弧を利して上昇するときに、コマが回転し発生するエネルギーをコマの軸に伝え、その軸（Ｓｈａｆｔ）の回転を外部に伝えて発電する、又は、コマ自体の回転を発電機として機能させることにより発電させるものである。さらに、この組み合わせによるダブル（Ｄｏｕｂｌｅ）発電の考えもある。
コマの重力よる回転運動と、フレーム上のコマの移動による昇降運動の組み合わせにより発電が可能であるが、コマの回転運動のエネルギーが、摩擦によるエネルギーロスとフレームの昇降運動によるエネルギーロスを上回る限り、無害で連続的に発電させ続けることができる。コマの材質やフレームワークの形状によりエネルギーロスを最小限にし、初期設定にかかるエネルギーを押さえれば継続的な発電が可能である。また、コマ本体の規模（大、中、小型）及び自重（重、中、軽量）による回転速度の使い分けにより能力の異なる発電が可能である。
制御（Ｃｏｎｔｒｏｌ）装置はコマがフレーム内を昇降運動を繰り返する過程で、上下降する際の回転数を制御するもので、バネ（Ｓｐｒｉｇ）又は、ピストン（Ｐｉｓｔｏｎ）によりクッション（Ｃｕｓｈｉｏｎ）の役目も果たすし、発電機の始動（ＯＮ）及び停止（ＯＦＦ）の際にも利用される。
火力発電は現時点で最高の発電方法でありグローバル的に普及しているが、化石燃料を燃焼させて発電しているため大量のＣｏ２を大気中に放出しており、地球規模での大気汚染、温暖化等々の問題を引き起こしている。また、原子力発電は常に放射漏れ、爆発等の危険性があるために住民は常に危険にさらされているが、他により良い発電方法がないのが現状でやむなく我慢に耐え忍んでいる。より良い発電方法があれば、即刻に廃止すへき発電方法である。
水力、風力、ソーラー発電等も普及は進みつつあるが、常に天候、気候、昼夜、地域等の影響を受ける発電方法であるために、安定的な電気の供給ができずグローバル的な規模での普及は望めない。
本発明は、重力を利用する発電装置であることから、Ｃｏ２を放出せず、従って温暖化も促進しない、放射能漏れ爆発等の危険性もない、天候、気候、昼夜、地域等の制限や制約も受けず常に安定的に供給ができる。さらに最大の利点は重力を利用するため無代、無制限、万国で平等、無公害で負荷をかけず、全ての生物において安全、安心で優しくクリーンであるといえる。
この発電装置がグローバル的に普及したとき、今、稼働している発電方法は、如何に地球に負荷をかけており、コストがかかる欠陥的な発電方法であるかが判る。
【請求項２】
（図面２）について
シーソーの台座▲１▼にフレームワーク▲２▼を取付け、その内部にコマ▲３▼をセットする。コマの自重自体で回転運動が始まり、フレームワークの先端部の円弧を利してコマの昇降運動が加わり、コマがフレーム内を移動するときに生じる回転エネルギーをコマの軸▲４▼のシャフトに伝達して外部の発電機を稼働させて発電をする。又は、フレームワーク自体を発電機としてコマの回転により発電する。なお、外部と内部に発電機を装置して発電する方法も考えられる。▲５▼シーソーの支点を図示している。▲６▼コマの回転の様子を矢印（→）で図示している。▲７▼制御（Ｃｏｎｔｒｏｌ）装置はコマがフレームワーク内を上下降する際の回転数をバネ（Ｓｐｒｉｇ）又は、ピストン（Ｐｉｓｔｏｎ）により制御するもので、発電機の始動（ＯＮ）停止（ＯＦＦ）にも利用可能である。▲８▼▲９▼シーソーの昇降運動の移動の様子を破線で図示。▲８▼はフレームワークが水平状態の位置を破線で図示。▲９▼はフレームワークがコマの回転力により推進して上昇していき最高点に到達した状態を破線で図示してある。フレームの反復運動にはコマの回転による推進力をフレームの上昇運動にスムースに伝える必要があり、このため、フレームの形状は楕円形が不可欠である。このフレームワークとコマの組合せにより回転エネルギーが摩擦等により減衰するまで持続し続ける様子を破線で図示した。コマの回転と移動の際の水平の位置を▲１０▼、下降の位置▲１１▼の様子を破線で図示した。コマによるシーソーの昇降運動をフレームワーク▲２▼を通して伝達するとともに、フレームワークの先端部を円弧にすることでコマ▲３▼の回転を上部への上昇運動に変換し、上昇して頂点に達した時点で下部へ下降する連続運動が生じ、その際、コマ自身の回転により発生するエネルギーによって発電機を稼働させて発電する方法である。